(57)【特許請求の範囲】
【請求項１】
顎骨側に配置する固定用支台と，該固定用支台に支持されるキーパと，該キーパに設けた被吸着面に磁気吸引力により吸着する吸着面を有する磁石構造体とからなる義歯アタッチメントにおいて，
上記キーパは，該キーパ自身に一体的に設けられた，上記被吸着面を設けた本体部と，該本体部の上記被吸着面と反対側にある裏面の中央から立設されたネジ部と，該ネジ部の基端に設けられた円錐状のテーパ軸部と，上記裏面の外周部において上記テーパ軸部との間にリング状の溝を形成するように軸方向に突出した突出リング部とを有し，
該突出リング部は，その内周面が先端に行くほど拡径する傾斜形状を呈し，その外周面と交わる先端部において実質的に鋭角形状を呈する鋭角先端部を有しており，
上記固定用支台は，上記キーパの上記ネジ部を螺着させるネジ穴部と，該ネジ穴部の開口側に連設され上記テーパ軸部と略同じ傾斜角を有する円錐状のテーパ穴部と，開口端部において外周に行くほど後退する傾斜端面を有し，少なくとも上記テーパ穴部と上記傾斜端面とが一体的に設けられており，
上記ネジ部と上記ネジ穴部とを螺合させて上記キーパと上記固定用支台とを接合した際には，上記テーパ軸部と上記テーパ穴部とが密着すると共に，上記鋭角先端部の内面と上記傾斜端面とが当接して少なくとも上記突出リング部の上記鋭角先端部が径方向に弾性変形した状態になるように，上記鋭角先端部の内面と上記傾斜端面とが当接した初期状態で上記テーパ軸部と上記テーパ穴部との間に締め込み余裕がある形状に構成されていることを特徴とする義歯アタッチメント。
【請求項２】
請求項１において，上記固定用支台は，上記顎骨に埋設される下半部と，該下半部と上記キーパとの間に介設される上半部とからなり，
上記下半部には上記ネジ穴部設け，上記上半部には上記テーパ穴部と上記傾斜端面とを一体的に設け，かつ，上記下半部と上記上半部との間に位置決め及び回り止め構造が設けられていることを特徴とする義歯アタッチメント。
【請求項３】
顎骨側に配置する固定用支台と，該固定用支台に支持されるキーパと，該キーパに設けた被吸着面に磁気吸引力により吸着する吸着面を有する磁石構造体とからなる義歯アタッチメントにおいて，
上記キーパは，該キーパ自身に一体的に設けられた，上記被吸着面を設けた本体部と，該本体部の上記被吸着面と反対側にある裏面の中央から立設されたネジ部と，該ネジ部の基端に設けられた円錐状のテーパ軸部と，上記裏面の外周部において外周に行くほど後退する傾斜端面とを有し，
上記固定用支台は，上記キーパの上記ネジ部を螺着させるネジ穴部と，該ネジ穴部の開口側に連設され上記テーパ軸部と略同じ傾斜角を有する円錐状のテーパ穴部と，上記キーパの本体部と略同等の外径を有すると共に外周部において軸方向に突出した突出リング部を設けてなり，該突出リング部は，その内周面が先端に行くほど拡径する傾斜形状を呈し，その外周面と交わる先端部において実質的に鋭角形状を呈する鋭角先端部を有しており，
上記固定用支台は，上記顎骨に埋設される下半部と，該下半部と上記キーパとの間に介設される上半部とからなり，
上記下半部には上記ネジ穴部を設け，上記上半部には上記テーパ穴部と上記突出リング部とを一体的に設け，かつ，上記下半部と上記上半部との間に位置決め及び回り止め構造が設けられており，
上記上半部と上記下半部とを組み合わせた状態で，上記ネジ部と上記ネジ穴部とを螺合させて上記キーパを上記固定用支台に接合した際には，上記テーパ軸部と上記テーパ穴部とが密着すると共に，上記鋭角先端部の内面と上記傾斜端面とが当接して少なくとも上記突出リング部の上記鋭角先端部が径方向に弾性変形した状態になるように，上記鋭角先端部の内面と上記傾斜端面とが当接した初期状態で上記テーパ軸部と上記テーパ穴部との間に締め込み余裕がある形状に構成されていることを特徴とする義歯アタッチメント。
【請求項４】
請求項３において，上記上半部は，上記突出リング部を設けてなる大径部と，該大径部から上記突出リング部とは反対側に突出した小径部とからなり，上記大径部は，上記テーパ穴部を有し，上記小径部は，上記テーパ穴部と連設され上記ネジ部を挿通する挿通穴を有し，
上記下半部は，上記ネジ穴部と，該ネジ穴部の開口側に連設され上記小径部を嵌入する嵌入穴とを有しており，
上記上半部の上記小径部を上記嵌入穴に嵌入させることにより上記位置決め及び回り止め構造が得られるよう構成されていることを特徴とする義歯アタッチメント。
【請求項５】
請求項１〜４のいずれか１項において，少なくとも，上記テーパ軸部と上記鋭角先端部の内面，及び上記テーパ穴部と上記傾斜端面には，耐摩耗性を高めるための表面処理が施されていることを特徴とする義歯アタッチメント。
【請求項６】
請求項１〜５のいずれか１項において，少なくとも，上記キーパの被吸着面，上記突出リング部の外周面，上記テーパ軸部，上記鋭角先端部の内面には，生体親和性を高めるための表面処理が施されていることを特徴とする義歯アタッチメント。
【発明の詳細な説明】
【０００１】
【技術分野】
本発明は，磁気吸引力によって義歯を固定用支台のキーパに対して着脱自在に固定する義歯アタッチメントに関する。
【０００２】
【従来技術】
歯科治療においては，義歯の着脱が容易であるという観点から，磁気吸引力を利用する義歯アタッチメントが種々提案されている。
例えば特開平９−２２４９５９号公報に開示された義歯アタッチメント９は，図１０に示すごとく，顎骨に埋設される固定用支台としてのインプラント９１と，これに装着されるキーパ９３と，キーパ９３の被吸着面９３０に磁気吸引力により吸着する吸着面９５０を有する磁石構造体９５とから構成されている。
【０００３】
上記インプラント９１とキーパ９３との接合は，キーパ９３に設けたネジ部９３１をインプラント９１に設けたネジ穴部９１１に螺合させることによって行われる。そして，両者の当接面９１２，９３２によって，密着性を高め，インプラント９１とキーパ９３とのすき間に異物が侵入して不潔になるのを防止している。
【０００４】
【解決しようとする課題】
しかしながら，上記接合力の維持は，ネジ穴部９１１とネジ部９２１における螺合に頼るだけでは不安定であり，上記義歯アタッチメントの使用中に緩みが生じるおそれがある。また，その緩みが生じれば，密着性も一気に低下して，清潔性を低下させるおそれもある。
そこで，従来より，インプラント等の固定用支台とキーパとをネジ止め方法により固定する場合に，上記接合力と密着性をより安定的に維持することができる義歯アタッチメントの開発が求められていた。
【０００５】
本発明はかかる従来の問題点に鑑みてなされたもので，固定用支台とキーパとの接合力と密着性を向上させることができる義歯アタッチメントを提供しようとするものである。
【０００６】
【課題の解決手段】
第１の発明は，顎骨側に配置する固定用支台と，該固定用支台に支持されるキーパと，該キーパに設けた被吸着面に磁気吸引力により吸着する吸着面を有する磁石構造体とからなる義歯アタッチメントにおいて，
上記キーパは，該キーパ自身に一体的に設けられた，上記被吸着面を設けた本体部と，該本体部の上記被吸着面と反対側にある裏面の中央から立設されたネジ部と，該ネジ部の基端に設けられた円錐状のテーパ軸部と，上記裏面の外周部において上記テーパ軸部との間にリング状の溝を形成するように軸方向に突出した突出リング部とを有し，
該突出リング部は，その内周面が先端に行くほど拡径する傾斜形状を呈し，その外周面と交わる先端部において実質的に鋭角形状を呈する鋭角先端部を有しており，
上記固定用支台は，上記キーパの上記ネジ部を螺着させるネジ穴部と，該ネジ穴部の開口側に連設され上記テーパ軸部と略同じ傾斜角を有する円錐状のテーパ穴部と，開口端部において外周に行くほど後退する傾斜端面を有し，少なくとも上記テーパ穴部と上記傾斜端面とが一体的に設けられており，
上記ネジ部と上記ネジ穴部とを螺合させて上記キーパと上記固定用支台とを接合した際には，上記テーパ軸部と上記テーパ穴部とが密着すると共に，上記鋭角先端部の内面と上記傾斜端面とが当接して少なくとも上記突出リング部の上記鋭角先端部が径方向に弾性変形した状態になるように，上記鋭角先端部の内面と上記傾斜端面とが当接した初期状態で上記テーパ軸部と上記テーパ穴部との間に締め込み余裕がある形状に構成されていることを特徴とする義歯アタッチメントにある（請求項１）。
【０００７】
本発明の義歯アタッチメントは，上記のごとく，上記キーパに上記テーパ軸部を設けると共に，上記鋭角先端部を有する上記突出リング部を設けてある。一方，上記固定用支台には，上記テーパ穴部と上記傾斜端面を設けてある。そして，キーパと固定用支台とを接合した際には，上記のごとく，上記テーパ軸部と上記テーパ穴部とを密着させると共に，上記鋭角先端部の内面と上記傾斜端面とが当接して少なくとも上記突出リング部の上記鋭角先端部が径方向に弾性変形した状態を得る。
【０００８】
これにより，上記キーパと固定用支台との接合力は，上記テーパ軸部とテーパ穴部との摩擦力と，上記鋭角先端部と傾斜端面との摩擦力の両方によって得られる。特にテーパ軸部とテーパ穴部による摩擦力を得ることによって，従来と比べて格段に高い接合力，即ち，ねじ緩み防止力を発揮することができる。
【０００９】
一方，この状態において，上記突出リング部の上記鋭角先端部と上記傾斜端面とが当接することにより，密着状態を得ることができる。
即ち，上記テーパ軸部とテーパ穴部との当接と，上記鋭角先端部と傾斜端面との当接の両方を，ねじ込み時に同時に行うことができるような寸法精度を得ることは，これまでの優れた加工技術を駆使しても非常に難しい。これに対し，ねじ込み時に，上記鋭角先端部がある程度弾性変形することを前提としたならば，キーパ及び固定用支台の加工精度を妥当な範囲に抑えることができ，かつ，上記のごとく２箇所を強く密着させた接合状態を容易に得ることができるのである。
【００１０】
これにより，上記接合状態においては，上記鋭角先端部が弾性変形状態にあるので，上記の加工技術の困難性である，上記突出リング部の鋭角先端部と傾斜端面との当接と，上記テーパ穴部とテーパ軸部との当接の両方を，ねじ込み時に同時に行うことができ，優れたねじ緩み防止力と，両者の間への異物侵入を防止する清潔性の両立を図ることができる。
【００１１】
したがって，本発明によれば，固定用支台とキーパとの接合力と密着性を向上させることができる義歯アタッチメントを得ることができる。
【００１２】
第２の発明は，顎骨側に配置する固定用支台と，該固定用支台に支持されるキーパと，該キーパに設けた被吸着面に磁気吸引力により吸着する吸着面を有する磁石構造体とからなる義歯アタッチメントにおいて，
上記キーパは，該キーパ自身に一体的に設けられた，上記被吸着面を設けた本体部と，該本体部の上記被吸着面と反対側にある裏面の中央から立設されたネジ部と，該ネジ部の基端に設けられた円錐状のテーパ軸部と，上記裏面の外周部において外周に行くほど後退する傾斜端面とを有し，
上記固定用支台は，上記キーパの上記ネジ部を螺着させるネジ穴部と，該ネジ穴部の開口側に連設され上記テーパ軸部と略同じ傾斜角を有する円錐状のテーパ穴部と，上記キーパの本体部と略同等の外径を有すると共に外周部において軸方向に突出した突出リング部を設けてなり，該突出リング部は，その内周面が先端に行くほど拡径する傾斜形状を呈し，その外周面と交わる先端部において実質的に鋭角形状を呈する鋭角先端部を有しており，
上記固定用支台は，上記顎骨に埋設される下半部と，該下半部と上記キーパとの間に介設される上半部とからなり，
上記下半部には上記ネジ穴部を設け，上記上半部には上記テーパ穴部と上記突出リング部とを一体的に設け，かつ，上記下半部と上記上半部との間に位置決め及び回り止め構造けられており，
上記上半部の上記小径部とを組み合わせた状態で，上記ネジ部と上記ネジ穴部とを螺合させて上記キーパを上記固定用支台に接合した際には，上記テーパ軸部と上記テーパ穴部とが密着すると共に，上記鋭角先端部の内面と上記傾斜端面とが当接して少なくとも上記突出リング部の上記鋭角先端部が径方向に弾性変形した状態になるように，上記鋭角先端部の内面と上記傾斜端面とが当接した初期状態で上記テーパ軸部と上記テーパ穴部との間に締め込み余裕がある形状に構成されていることを特徴とする義歯アタッチメントにある（請求項３）。
【００１３】
この場合にも，上記第１の発明と同様に，固定用支台とキーパとの接合力と密着性を向上させることができる義歯アタッチメントを得ることができる。
また，上記第２の発明においては，上記鋭角先端部を有する突出リング部を，上記固定用支台の上半部に設けてある。そのため，上記キーパには突出する部分を設ける必要がないので，その本体部の厚みを薄くすることができる。それ故，上記義歯アタッチメントを実際に歯茎に装着した際に，歯肉と接触する部分において，キーパと歯肉との接触面積を減少させ，固定用支台と歯肉との接触面積を増大させることができる。
これにより，Ｔｉ等の生体親和性に優れた材料を適用可能な固定用支台の優れた耐食性を発揮させ，義歯アタッチメントの耐久性をより一層向上させることができる。
【００１４】
また，上記固定用支台は，上記下半部と上半部との２ピース構造となっているため，製造容易である。即ち，精密加工が要求される上記鋭角先端部を有する突出リング部を設けてなる上半部を，上記下半部と別個に作製することができるため，製造が容易となる。
【００１５】
【発明の実施の形態】
上記第１の発明（請求項１）においては，少なくとも，上記キーパの上記テーパ軸部と上記鋭角先端部の内面，及び上記固定用支台の上記テーパ穴部と上記傾斜端面には，耐摩耗性を高めるための表面処理が施されていることが好ましい（請求項２）。
この場合には，上記キーパと上記固定用支台の当接部分の耐摩耗性向上により義歯アタッチメント全体の耐久性を向上させることができる。
【００１６】
この場合の表面処理としては，通常耐摩耗性を向上するために行われる種々の処理を行うことができ，例えば，ＴｉＮ，ダイヤモンド，Ｎ，Ｃｒ，セラミック等のコーティングや窒化処理，クロム処理などの表面処理が挙げられる。
また，同様の表面処理を上記キーパの被吸着面及び磁石構造体の吸着面に施すことが好ましい。これにより着脱の際の耐摩耗性を向上させることができる。
【００１７】
また，少なくとも，上記キーパの被吸着面，上記突出リング部の外周面，上記テーパ軸部，上記鋭角先端部の内面には，生体親和性を高めるための表面処理が施されていることが好ましい（請求項３）。
この場合には，唾液等が接触する可能性の高い部分の生体親和性を向上させることができる。なお，この場合の生体親和性を高めるための表面処理としては，例えば，ＴｉＮ，ＴｉＣ等のＴｉセラミックコーティング等の表面処理が挙げられる。
【００１８】
なお，上記キーパは，固定用支台の上部（磁石構造体側）に固定され，磁石構造体とともに磁気回路を形成し，義歯を固定用支台へ固定する部材である。このキーパを形成する材料としては，従来より磁気吸引力を利用する義歯アタッチメントのキーパとして使用されている種々の歯科用の耐食性磁性材料を用いることができる。特に，飽和磁束密度１．３Ｔ以上，透磁率３０００以上の磁性材料を用いることが望ましく，このような特性を有する磁性材料には，鉄・クロム・モリブデン合金や，１９Ｃｒ−２Ｍｏ−０．２Ｔｉ鋼，１７Ｃｒ−２Ｍｏ−０．２Ｔｉ鋼等の軟磁性ステンレス鋼等がある。
【００１９】
また，上記磁石構造体は，キーパとともに磁気回路を形成し，義歯を固定用支台へ固定する部材である。この磁石構造体には，磁石体が含まれるが，この磁石体は，特に限定されるものではなく，従来より磁気吸引力を利用する義歯アタッチメントの磁石体として使用されている種々の磁性体を用いることができる。特に，高いエネルギー積をもつ磁性体を用いることが望ましく，具体的には，２３８８ｋＪ／ｍ3以上のエネルギー積をもつ磁性体を用いることが実用的に望ましい。このような磁性体としては，Ｎｄ−Ｆｅ−Ｂ系やＳｍ−Ｃｏ系の希土類磁石等がある。
【００２０】
次に，上記第２の発明（請求項４）において，少なくとも，上記キーパの上記本体部及びテーパ軸部の表面には，生体親和性を高めるための表面処理が施されていることが好ましい（請求項５）。
この場合には，唾液等が接触する可能性の高い部分の生体親和性を向上させることができる。そして，上記と同様に，生体親和性を高めるための表面処理としては，例えば，ＴｉＮ，ＴｉＣ等のＴｉセラミックコーティング等の表面処理が挙げられる。
【００２１】
【実施例】
（実施例１）
本発明の実施形態例にかかる義歯アタッチメント１は，図１に示すごとく，顎骨側に配置する固定用支台１０と，該固定用支台１０に支持されるキーパ３と，該キーパ３に設けた被吸着面３１に磁気吸引力により吸着する吸着面５１を有する磁石構造体５とからなる義歯アタッチメントである。
【００２２】
上記キーパ３は，被吸着面３１を設けた本体部３０と，該本体部３０の被吸着面３１と反対側にある裏面の中央から立設されたネジ部３３と，該ネジ部３３の基端に設けられた円錐状のテーパ軸部３５と，上記裏面の外周部において上記テーパ軸部３５との間にリング状の溝３６を形成するように軸方向に突出した突出リング部３７とを有する。
【００２３】
突出リング部３７は，その内周面３７１が先端に行くほど拡径する傾斜形状を呈し，その外周面３７２と交わる先端部において実質的に鋭角形状を呈する鋭角先端部３７５を有している。
上記固定用支台１０は，上記キーパ３の上記ネジ部３３を螺着させるネジ穴部１３と，該ネジ穴部１３の開口側に連設され上記テーパ軸部３５と同じ傾斜角を有する円錐状のテーパ穴部１５と，開口端部において外周に行くほど後退する傾斜端面１７を有している。
【００２４】
そして，上記ネジ部３３と上記ネジ穴部１３とを螺合させて上記キーパ３と上記固定用支台１０とを接合した際には，上記テーパ軸部３５と上記テーパ穴部１５とが密着すると共に，上記鋭角先端部３７５の内面と上記傾斜端面１７とが当接して少なくとも上記突出リング部３７の上記鋭角先端部３７５が径方向に弾性変形した状態になるよう構成されている。
以下，これをさらに詳説する。
【００２５】
上記固定用支台１０は，図１に示すごとく，いわゆるインプラントであって，側面にねじ山を有し（図示略）その上端に上記ネジ穴部１３とテーパ穴部１５とを設けて開口させている。
本例では，上記テーパ穴部１５の軸方向に対する傾斜角α１を８°に設定した。また，開口端部における傾斜端面１７の軸方向に対する傾斜角度α２は４８°に設定した。
また，本例の固定用支台１０は，Ｔｉにより構成した。
【００２６】
上記キーパ３は，同図に示すごとく，本体部３０の被吸着面３１を曲率半径８ｍｍの凸状球面形状に形成した。また，被吸着面３１の中央には，キーパ３をねじ込む際の工具（図示略）を挿入するための工具穴３１８が設けられている。
また，本体部３０の裏面には，テーパ軸部３５とネジ部３３とを連ね，テーパ軸部３５との間に丸底の溝部３６が形成されるように上記突出リング部３７が配設されている。
【００２７】
また，本例では，突出リング部３７の内周面３７１が軸方向に対する角度γが４２°傾斜するように設け，外周面３７２は実質的に径の変化がない円筒形状を呈するようにストレートに設けた。
そして，上記突出リング部３７の内周面３７１と外周面３７２とに挟まれる部分が，４８°の角度を有する上記鋭角先端部３７５となる。なお，鋭角先端部３７５の最先端は，耐久性，安全性等を得るために最低限必要な面取りを行っている。
【００２８】
また，上記キーパ３の材質としては，１９Ｃｒ−２Ｍｏ−０．２Ｔｉを用いた。そして本例では，キーパ３の上記テーパ軸部３５と上記鋭角先端部３７５の内面（内周面３７１），及び被吸着面３１には，耐摩耗性を高めるための表面処理を施した。具体的には，イオンプレーティングにより，ＴｉＮよりなる被膜を形成した。
【００２９】
上記磁石構造体５は，図１に示すごとく，歯丈方向に互いに背向する両面がＮ極及びＳ極となる磁石体５５と，該磁石体５５を収納する凹部５９を有する第１ヨーク５２と，該第１ヨーク５２の開口部に配設され上記磁石体５５をシールし上記キーパ３に対面する第２ヨーク５３と，上記第１ヨーク５２と第２ヨーク５３との境界に位置する非磁性部５４とを有する。
【００３０】
また，該磁石構造体５は，上記第１ヨーク５２，第２ヨーク５３，および非磁性部５４によって形成される吸着面５１が，上記キーパ３の被吸着面３１と型対称な凹状球面形状を有している。本例の凹状球面形状の曲率半径は８ｍｍに設定した。
【００３１】
また，上記磁石構造体５の吸着面５１には，耐摩耗性を高めるため，ＴｉＮ膜による表面処理がなされている。
また，磁石構造体５はＮｄ系希土類磁石を用いた。第１ヨーク５２，第２ヨーク５３には１９Ｃｒ−２Ｍｏ−０．２Ｔｉ磁性ステンレス鋼を用いた。
【００３２】
次に，上記構造を有する義歯アタッチメント１を使用する際には，まず，上記固定用支台１０を顎骨（図示略）に埋設する。次に，固定用支台１０に対して上記キーパ３を螺合させる。
このとき，本例では，次のような作用が得られる寸法関係となるように，上記キーパ３と固定用支台１０とを加工してある。
【００３３】
即ち，図２に示すごとく，キーパ３のネジ部３３と固定用支台１０ネジ穴１３とをあわせてキーパ３をねじ込んでいくことにより，キーパ３のテーパ軸部３５と鋭角先端部３７５とが，それぞれ固定用支台１０のテーパ穴部１５と傾斜端面１７に近づいていく。
【００３４】
そして，図３に示すごとく，テーパ軸部３５とテーパ穴部１５との間にある程度の締め込み余裕がある状態で，鋭角先端部３７５が傾斜端面１７に当接する。なお，このとき，テーパ軸部３５とテーパ穴部１５とが接触していても締め込み余裕があればよく，必ずしも非接触状態が維持される必要はない。
【００３５】
次いで，図４に示すごとく，キーパ３のねじ込みが進むことにより，鋭角先端部３７５に対して，上記傾斜端面１７にならって外方に向けた応力が徐々に付与されていき，テーパ軸部３５とテーパ穴部１５とが強固に螺着した状態では，上記鋭角先端部３７５が少なくとも径方向に弾性変形した状態が得られる。
【００３６】
このように，本例の義歯アタッチメント１は，キーパ３と固定用支台１０とを接合した際には，上記のごとく，上記テーパ軸部３５と上記テーパ穴部１５とを密着させると共に，上記鋭角先端部３７５の内面と上記傾斜端面１７とが当接して少なくとも上記突出リング部３７の上記鋭角先端部３７５が径方向に弾性変形した状態が得られる。
【００３７】
これにより，キーパ３と固定用支台１０との接合力は，テーパ軸部３５とテーパ穴部１５との摩擦力と，上記鋭角先端部３７５と傾斜端面１７との摩擦力の両方によって得られる。そして，特にテーパ軸部３５とテーパ穴部１５による摩擦力を得ることによって，従来と比べて格段に高い接合力，即ち，ねじ緩み防止力を発揮することができる。
【００３８】
これにより，上記接合状態においては，上記鋭角先端部３７５が弾性変形状態にあるので，上記の加工技術の困難性である，上記突出リング部３７の鋭角先端部３７５と傾斜端面１７との当接と，上記テーパ穴部１５とテーパ軸部３５との当接の両方を，ねじ込み時に同時に行うことができることができ，優れたねじ緩み防止力と，両者の間への異物侵入を防止する清潔性の両立を図ることができる。
【００３９】
（実施例２）
本例は，図５に示すごとく，実施例１と若干構成が異なる固定用支台１０，キーパ３，磁石構造体５を用いた例である。
上記固定用支台１０は，同図に示すごとく，２ピース構造に変更した。具体的には，下半部１０１と上半部１０２とよりなり，下半部１０１にはネジ穴部１３を，上半部１０２にはテーパ穴部１５と傾斜端面１７とを設けた。
【００４０】
また，上記下半部１０１の上端には六角状の突起部１０５を設け，一方，上半部１０２には六角状の凹部１０６を設け，これら突起部１０５と凹部１０６を組み合わせることにより，下半部１０１と上半部１０２との位置決め及び回り止め構造が得られる。
【００４１】
上記キーパ３は，同図に示すごとく，その被吸着面３１を平面状にすると共に，その外周部にリング状の外周規制部３９を設けた。この外周規制部３９は，磁石構造体５の当接位置を規制するものである。
上記磁石構造体５は，その吸着面５１を平面状に設けた。
【００４２】
その他の構造はほぼ実施例１の義歯アタッチメント１と同様とし，キーパにおけるテーパ軸部３５と鋭角先端部３７５，および固定用支台１０におけるテーパ穴部１５と傾斜端面１７などの形状，寸法も実施例１と同様とした。
【００４３】
本例の場合にも，実施例１と同様に，キーパ３と固定用支台１０とを接合した際には，上記テーパ軸部３５と上記テーパ穴部１５とが密着すると共に，上記鋭角先端部３７５の内面と上記傾斜端面１７とが当接して少なくとも上記突出リング部３７の上記鋭角先端部３７５が径方向に弾性変形した状態が得られる。そのため，非常に優れた接合力と密着性を得ることができる。
【００４４】
（実施例３）
本例は，図６〜図８に示すごとく，固定用支台１０を下半部１０１と上半部１０２との２ピース構造とし，上記上半部１０２に突出リング部１２７を形成した例である。
【００４５】
上記キーパ３は，上記被吸着面３１を設けた本体部３０と，該本体部３０の上記被吸着面３１と反対側にある裏面の中央から立設されたネジ部３３とを有する。該ネジ部３３の基端には円錐状のテーパ軸部３５が設けられている。また，上記裏面の外周部には，外周に行くほど後退する傾斜端面３４が形成されている。
【００４６】
上記固定用支台１０は，顎骨に埋設される下半部１０１と，該下半部１０１と上記キーパ３との間に介設される上半部１０２とからなる。
上記上半部１０２は，上記キーパ３の本体部３０と略同等の外径を有する大径部１２１と，該大径部１２１から軸方向に突出した小径部１２２とからなる。上記大径部１２１は，外周部において上記小径部１２２とは反対側に突出した突出リング部１２７を設けてなる。
【００４７】
上記突出リング部１２７は，図６，図７に示すごとく，その内周面１２８が先端に行くほど拡径する傾斜形状を呈し，その外周面と交わる先端部において実質的に鋭角形状を呈する鋭角先端部１２９を有している。
上記大径部１２１は，上記テーパ軸部３５と略同じ傾斜角を有する円錐状のテーパ穴部１２５を有し，上記小径部１２２は，上記テーパ穴部１２５と連設され上記ネジ部３３を挿通する挿通穴１２６を有する。
【００４８】
上記下半部１０１は，上記キーパ３の上記ネジ部３３を螺着させるネジ穴部１３と，該ネジ穴部１３の開口側に連設され上記小径部１２２を嵌入する嵌入穴１６とを有している。
上記上半部１０２の小径部１２２を上記嵌入穴１６に嵌入させた状態で，ネジ部３３とネジ穴部１３とを螺合させて上記キーパ３を上記固定用支台１０に接合する際，図７に示すごとく，上記テーパ軸部３５とテーパ穴部１２５とが密着する。また，図７，図８に示すごとく，上記鋭角先端部１２９の内面と上記傾斜端面３４とが当接して少なくとも上記突出リング部１２７の上記鋭角先端部１２９が径方向に弾性変形した状態になる。
【００４９】
図６に示すごとく，上記キーパ３は，本体部３０の被吸着面３１の中央に，工具穴３１８を有する。
また，図９に示すごとく，上記固定用支台１０の下半部１０１における嵌入穴１６は，略六角状に形成されており，一方，上半部１０２における小径部１２２は，その外形が略六角状に形成されている。これにより，嵌入穴１６に小径部１２２を嵌入させたとき下半部１０１と上半部１０２との位置決め及び回り止め構造が得られる。なお，上記嵌入穴１６及び小径部１２２の六角形の角部１６ａ，１２２ａは面取りされている。
【００５０】
上記キーパ３の上記本体部３０及びテーパ軸部３５の表面，即ち，本体部３０の被吸着面３１，側面３０１，傾斜面３４，被吸着面３１と反対側の裏側面３０２，及びテーパ軸部３５の外周面には，生体親和性を高めるための表面処理が施されている。具体的には，イオンプレーティングにより，ＴｉＮよりなる被膜を形成した。ただし，工具穴３１８には表面処理は施されていない。
なお，上記表面処理はキーパ３の表面全体に施すことがより好ましい。
【００５１】
また，上記固定用支台１０は，下半部１０１及び上半部１０２の双方ともＴｉにより構成した。また，上記キーパ３の材質としては，１９Ｃｒ−２Ｍｏ−０．２Ｔｉを用いた。
なお，上記磁石構造体５は，実施例１に示した磁石構造体５と同様の構成を有する。その他は，実施例１と同様である。
【００５２】
この場合にも，上記実施例１と同様に，固定用支台１０とキーパ３との接合力と密着性を向上させることができる義歯アタッチメント１を得ることができる。
【００５３】
また，本例においては，図６，図７に示すごとく，上記鋭角先端部１２９を有する突出リング部１２７を，上記固定用支台１０の上半部１０２に設けてある。そのため，上記キーパ３には突出する部分を設ける必要がないので，その本体部３０の厚みを薄くすることができる。それ故，上記義歯アタッチメント１を実際に歯茎に装着した際に，歯肉と接触する部分において，キーパ３と歯肉との接触面積を減少させ，固定用支台１０と歯肉との接触面積を増大させることができる。
これにより，生体親和性に優れたＴｉを適用可能な固定用支台１０の優れた耐食性を発揮させ，義歯アタッチメント１の耐久性をより一層向上させることができる。
【００５４】
即ち，実施例１（図１）の場合のように，突出リング部３７をキーパ３に設けると，必然的にキーパ３の本体部３０の厚みが大きくなり，上記義歯アタッチメント１を実際に歯茎に装着した際に，キーパ３と歯肉との接触面積が大きくなる。
これに対して，本例によれば，図７に示すごとくキーパ３の本体部３０の厚みｄを例えば１．１ｍｍと薄くして，キーパ３と歯肉との接触面積を減少させることができる。そのため，上述したごとく，義歯アタッチメント１の耐久性をより一層向上させることができる。
その他は，実施例１と同様の作用効果を奏する。
【図面の簡単な説明】
【図１】実施例１における，義歯アタッチメントの構成を示す説明図。
【図２】実施例１における，キーパと固定用支台との接合作業の初期段階を示す説明図。
【図３】実施例１における，キーパと固定用支台との接合時に鋭角先端部が傾斜端面に接触した瞬間を示す説明図。
【図４】実施例１における，キーパと固定用支台との接合が完了した状態を示す説明図。
【図５】実施例２における，義歯アタッチメントの構成を示す説明図。
【図６】実施例３における，義歯アタッチメントの構成を示す説明図。
【図７】実施例３における，キーパと固定用支台とを接合した状態を示す説明図。
【図８】実施例３における，キーパと固定用支台との接合時に鋭角先端部が傾斜端面に当接した状態を示す説明図。
【図９】（Ａ）図６のＡ−Ａ線矢視断面図，（Ｂ）図６のＢ−Ｂ線矢視断面図。
【図１０】従来例における，義歯アタッチメントの構成を示す説明図。
【符号の説明】
１．．．義歯アタッチメント，
１０．．．固定用支台，
１３．．．ネジ穴部，
１５．．．テーパ穴部，
１７．．．傾斜端面，
３．．．キーパ，
３０．．．本体部，
３１．．．被吸着面，
３３．．．ネジ部，
３５．．．テーパ軸部，
３７．．．突出リング部，
３７５．．．鋭角先端部，
５．．．磁石構造体，
５１．．．吸着面，
【図１】
0004240955.tif 000002
【図２】
0004240955.tif 000003
【図３】
0004240955.tif 000004
【図４】
0004240955.tif 000005
【図５】
0004240955.tif 000006
【図６】
0004240955.tif 000007
【図７】
0004240955.tif 000008
【図８】
0004240955.tif 000009
【図９】
0004240955.tif 000010
【図１０】
0004240955.tif 000011